(57)【要約】      （修正有）【課題】体のこりをほぐすものとしては、いろいろありますが、ほとんどが、一方通行で、こりのしんが抜けない様に思われる。そして、たいがいが高価で、それに関わる時間に、他の動作がしにくい為、貴重な時間をつぶすという欠点がありました。これの解決を図る。【解決手段】すでに許可になっているイヤリングの玉器材の玉をもう少し大きくして、軽くて安全で、響きが柔らいで、後味が、すっきりする材料を７ｍｍ程度乗せ、むれ、かぶれ鬱血しないフィットバンドの上部に、軽いキノコ型ネジで取り付ける。又同状の玉をバンド下部に、空の無いイヤリング状のネジの先に取り付け、付ける。【選択図】図１−１
0003139625.tif 000002
【実用新案登録請求の範囲】
【請求項１】
（腕）
▲１▼フィットバンド（伸び縮みし、むれ、かぶれ、鬱血しないゴム材。例、パンツのゴムひも長々お世話になっています。最近はもっとよいものがある）
▲２▼許可になっているイヤリングの玉に、最近よくみる軽くて安全でじわじわ響いてすっきりする材料（例ダイソーの１００円の時計の上ぶた、車、ポスト等）を約７ｍｍ位乗せた玉、玉は約２倍位の大きさ。
▲３▼▲２▼を付けた空の無いイヤリングネジ。（端の丸ネジは厚めのゴムネジ、ネジ通常の６〜７割上る。例カッターのゴムネジ）
▲４▼▲２▼を付けた軽いキノコ型のネジ（フィットバンドに固定）
▲１▼の本体の▲４▼の付いた部分を腕のつぼに当て、つぼを確認してから、手を回して、▲１▼の先をダンダンになっている穴にひっっかけて止める。（まっすぐ落ちてるひっかけ。上にひっかけるのでない）下方のレールに手を回し、▲３▼をちょうど良い所にセット。
ネジを少し上げる。ネジは厚めのゴムネジ、危く無い。バンドの先を短い輪バンドに入れ、バンドの先をダンダンにひっかけ止める。
（三方バンドは、はずれない為の輪金具があるのと経済的の為やめて、厚めの丸ゴムネジにしました）
（片方に許可になるガウスを入れてもよい）
（玉は小さいと物足り無いが、大きすぎても集中攻撃が大きくなりすぎる）
【請求項２】
（足）
▲１▼の本体の▲４▼の付いた部分を足のふくらはぎの固い部分のつぼに当て固定・手を回して▲１▼の先をダンダンになっている穴にひっかけて止める。
反対側の柔らかい部分のレールに手を回して▲３▼をちょうど良い所にセット。
（片方に許可になるガウスを入れてもよい）
【請求項３】
（背中）
少し固めのさし状のゴムバンド（穴無い）の端の方にちょうどよい固さで、対応できる形にしたゴムが付いている。
移動できる。寝ながら出来る。
【請求項４】
（肩）
フィットゴムひも（以下ひもと言う）が付いた、長方形のマスク状になっているフィットバンドに、レールを１つ肩の筋に沿ったように作り、▲３▼を付ける。腕にひもを１つ丸くかけて結ぶ。
長方形のフィットバンドから出るひもと腕のひもとを、腕のつけ根の上方のなでた様になっているところの中程で結ぶ。
反対方向の肩も同じ様にして両方のひもを首の後で結ぶ。
（先に結んでおいてもよいが、使用者が初めだけ結んでもよい。）
（丸ネジのゴムを程々の固さで多少厚くしておく）
（許可になる程度のガウスを入れてもよい）
【請求項５】
（ヘアーバンド）
少し固めのゴムバンドをヘアーバンドにして、先から数ｃｍの所に請求項１の▲４▼を両側に取りつける。
ヘアバンドの上部内側中心からふり分け計１０ｃｍ〜１２ｃｍあたりに櫛状の短いギザギザを付け、落ちにくくする。
集中力が高まる。
（ガウス入れない。柔らかい所だから）
【請求項６】
（イヤリング）
請求項１の▲３▼にゴムを丸く切って入れる。
（ガウス入れない）
【請求項７】
（花下駄）
両足の土ふまずの所に、縦、約５ｃｍ横約８ｃｍ高さ約１．３ｃｍの長方形のゴムの箱を作ってはさむ。
（低３ｍｍ位固いゴム・上は、ほどほどの固さのゴム。）
３．８ｃｍ×６ｃｍ×１ｃｍの長方形の空間を作り
（縦）    （横）    （厚さ）
１ｍｍ位の厚みのフタで閉める。フタの下部の部分に小さな穴あける。
空間の中に小さな薄いサッサ（又は張るサッサ）等を作って入れる。（冬場）（夏場はゴム板を入れておく）
○外に出て運転したり、歩いたりする時は平たいフタ。
○家でケアしながら足を保温する時は少し盛り上ったフタ。
（両フタ共程々の固さのゴムのフタで、用途によって使い別ける）
○両脇に少し出た穴のあいたとっ手をつける。フィットゴムひもをその両とっ手を通してブラジャーにあるようなしめ金具でしめる。
○通気のための小さい穴の上に小巻き型にした通気たれを付ける。
（ゴムは安くて安全性高い）
（ガウス、玉無し）
【考案の詳細な説明】
【技術分野】
【０００１】本考案は、体のこりのつぼに主として、ゴム、又はゴムと器具を併用してこりを柔らげる健康器具です。
つぼみちゃん２、花下駄は、足の保温も兼ねています。
【背景技術】
【０００２】いままでの肩こり機は、主に電気で、一方通行で、その時は、リラックスして、きいた様な気がするが、のけると、しんがなかなか抜けない様に思われる。他のものも、無いよりましの観。手間と時間とお金が高い。
【考案の開示】
【考案が解決しようとする課題】
【０００３】今までの商品は▲１▼高価（電気代・修理代、パット代等含む）
▲２▼しんが思う程とれない。（一方通行）
▲３▼手間と時間を費し、他の動作しにくい
▲４▼保温もできない。
【課題を解決するための手段】
【０００４】ゴム、イヤリング材、軽く安全な材料／ダイソーの１００円の時計の上ブタ、車／等、原価が安い材料を利用している。
玉状（主としてアルミ）でないとあまりきかない。
それに軽く柔らかく響き、後がすっきりする材料（約７ｍｍ）を乗せ、ゴムバンドに付けて、この三者の合体で、身体のこりのしんを柔らかく抜こうとするものである。
【考案の効果】
【０００５】上述の様に、つぼみちゃん、つぼみちゃん２は、安く安全な材料を工夫し、組合せることによって、安く、安全、つぼがよく抜け後すっきり、多少の動作も出来、時間のムダ使いを少なくするに役立つ。
【考案を実施するための最良の形態】
【０００６】フィットゴムバンドに玉器材を軽いキノコ型ネジで固定し、下方にレールをつけ、同じ玉器材を、空の無いイヤリングネジを付け、つぼを探って移動させネジで止め、バンドを短いゴムバンドにさし入れ、すぐ落ちている７字形のゴムバンド先を、ダンダンにひっかける。
【実施例】
【０００７】以下、添付図面に従って一実施例を説明する
図面１．  つぼみちゃん腕バンドで説明する（図１、２、３）
３は、むれ、かぶれ、鬱血しない腕バンド。
５は（請求の範囲）の（請求項１）の▲４▼で固定。
１は（請求項１）の▲３▼で、４のレール上にセット。図１の２は止め金。
これで（請求項１）の▲３▼を、レールよりはずれない様にしている。
図１の３ａで上向きに、バンドのダンダンに引っかけて止める。
（すぐ下に折れているひっかけ）
３ｂで腕の下から引っかけて止める。
そうむずかしい仕掛ではないので、理解しやすいと思う。
【図面の簡単な説明】
【０００８】
0003139625.tif 000003
（ゴムの上つるつるにする）
【符号の説明】
【０００９】  １  イヤリング状の空の無いネジ
２  止め金具
３  フィットバンド本体
４  レール
５  下が玉になっているキノコ型ネジ
６  ひっかける為のダンダン
７  バンド先を入れる為のバンド（小）、くだ管状。
８  フィットバンドゴムひも
９  板状ゴムバンド
１０  背中用盛りゴム
１１  ヘアバンド用ゴム（少し固め）
１２  髪止めギザギザ
１３  軽く安全で柔らかく響く玉を付けたイヤリング。（空有り、２（玉）倍位）
１４  つぼみちゃん２、花下駄の下部の固めのゴム箱の部分
１５  内ブタ
１６  フイツドゴムひも通すための、とっ手
１７  空気穴
１８  ゴム板（ケアだけの時入れておく）
１９  空気穴にゴミ等入らない様にする為の（小）、巻穴かくし。
２０  フィットゴムひもを止める金具
【図１】
0003139625.tif 000004
【図２】
0003139625.tif 000005
【図３】
0003139625.tif 000006
【図１】
0003139625.tif 000007
【図１】
0003139625.tif 000008
【図２】
0003139625.tif 000009
【図３】
0003139625.tif 000010
【図４】
0003139625.tif 000011
【図５】
0003139625.tif 000012
【図１】
0003139625.tif 000013
【図１】
0003139625.tif 000014
【図１】
0003139625.tif 000015
0003139625.tif 000016
【手続補正書】
【提出日】平成19年6月16日(2007.6.16)
【手続補正１】
【補正対象書類名】実用新案登録請求の範囲
【補正対象項目名】全文
【補正方法】変更
【補正の内容】
【実用新案登録請求の範囲】
【請求項１】
長方形のゴムバンド両端に、ひっかけと
0003139625.tif 000017
器材を乗せた、中玉程の２層玉付、イヤリングキノコネジを固定させ、反対側レール中に、はずれ防止金具付、Ｈ管を入れ込み、その中に、程々上る、キノコネジとは別の２層玉付、イヤリングネジを通し、バンドをひっかけ止め、レール上で、下のつぼを探し、ネジで止め、上下の玉で腕のこりをほぐす健康器具。
【請求項２】
長方形のゴムバンド両端にひっかけと
0003139625.tif 000018
キリ器材を乗せた、中玉程の２層玉付、イヤリングキノコネジを固定させ、反対側レール中に、はずれ防止金具付、Ｈ管を入れ込み、その中に程々上る、キノコネジとは別の２層玉付、イヤリングネジを通し、バンドをひっかけて止め、レール上で左右のつぼを探し、ネジで止め、左右の玉で、ふくらはぎのこりをほぐす健康器具。
【請求項３】
少し固めの、幅、約３．５〜４．５ｃｍ、厚み約２〜３ｍｍ、長さ約３０〜３５ｃｍのさし状のゴム板の端の、程よい所に、ちょうどよい固さの背中のこる部分に対応した形の盛り上ったゴムの魂りを付け、長方形のさしを移動させて、寝ながら、背中のこりを柔らげる健康器具。
【請求項４】
上腕に、フイツトゴムひもで輪を作り、肩の筋に沿った、レールの付いたマスク状の長方形バンドについているひもとを結び、レール上に、はずれ止めの付いた、２層になった丸いきのこネジを、玉を内側に入れ込み、左右のバンドから出たひもを首の後側で結び、ネジを移動させ、つぼを探して止め、肩のこりをほぐす健康器具。
【請求項５】
少し固めのゴムバンドをヘアーバンド形状にして、先を丸くして、左、右、両側の、こめかみのあたりに、２層になった玉の付いた、はずれ防止金具の無いイヤリングネジを、玉をこめかみに当たる内側に取り付け、固定して、ヘアーバンドの上部内側中心から、ふり分け計１０ｃｍ〜１２ｃｍあたりに櫛状の短いギザギザを付け、落ちにくくし、２個の玉で、ケアと集中力を高める健康器具。
【請求項６】
普通のイヤリングのかざりになっている所にかわりに２層玉を付け、耳の裏に当るネジのところを、角を丸くした小さな長方形の、程良い固さのゴムバンドのまん中に穴を開けた中に通した、イヤリング形状の、おしゃれとケアとを兼ねた健康器具。
【請求項７】
足の土ふまずの所に、長方形の小さなゴムの箱ををフイツトゴムひもで、はくようにして、金具で止め、脱着が楽な様にし、箱の中に長方形の空間を作り、サッサを入れタッパー状の少しへりがへっこんだフタをしめると保温箱に、又、少し盛り上ったフタをするとケアにと２つの利便があり、箱の正面上部に空気抜きの小さな穴をあけ、ほこりよけの上部がつるつるの小巻たれをつけた保温兼ケアの２つの用途に使える健康器具。
【手続補正２】
【補正対象書類名】明細書
【補正の内容】
0003139625.tif 000019
0003139625.tif 000020
0003139625.tif 000021
【手続補正３】
【補正対象書類名】図面
【補正対象項目名】全図
【補正方法】変更
【補正の内容】
【図１−１】
0003139625.tif 000022
【図１−２】
0003139625.tif 000023
【図２−１】
0003139625.tif 000024
【図２−２】
0003139625.tif 000025
【図３−１】
0003139625.tif 000026
【図３−２】
0003139625.tif 000027
【図３−３】
0003139625.tif 000028
【図４−１】
0003139625.tif 000029
【図５−１】
0003139625.tif 000030
【図６−１】
0003139625.tif 000031
【図７−１】
0003139625.tif 000032
【図７−２】
0003139625.tif 000033
【図７−３】
0003139625.tif 000034
【図７−４】
0003139625.tif 000035
【手続補正書】
【提出日】平成19年10月4日(2007.10.4)
【手続補正１】
【補正対象書類名】実用新案登録請求の範囲
【補正対象項目名】全文
【補正方法】変更
【補正の内容】
【実用新案登録請求の範囲】
【請求項１】
長方形のゴムバンドである弾性体の内側２ヶ所に、２層玉を取り付け、この２つの玉で、腕のつぼをはさみ、腕のこりをほぐす健康器具。
【請求項２】
請求項１のバンドを少し長めにして、つぼをはさむ場所が、足のふくらはぎであるところの、請求項１のこりをほぐす健康器具。
【請求項３】
請求項１のバンドの長さを肩のつぼに対応する様短く、幅を少し広くして、２つの玉は、左右の肩に、１つ、づつに別け、フイツトゴムひもを付けて、装着し、肩のこりをほぐす、請求項１の健康器具。
【請求項４】
ゴムバンドを、少し幅広く、長めの長方形状にして、背中のこりに対応した内側に、弾性体の魂を２ヶ所に取り付け、この２つの魂で、背中のこりをほぐす健康器具。
【請求項５】
請求項１のバンドを、ヘアーバンドの形にし、落ちない様、中程にギザギザを付け、両こめかみのこりに対応する場所に、玉を１個ずつ付け、頭のこりをほぐす、請求項１の健康器具。
【請求項６】
２層玉を、イヤリングの前飾りの所に、付け、バンドを小さく切って、首たぶに接する後のネジに通して、付け、おしゃれを兼ねた、こりをほぐす健康器具。
【請求項７】
ゴムバンドの上にもうけた、小さな箱の側面に、とっ手を付け、細いゴムバンドをとっ手の中に通し、つなげて、足の土ふまずの所に付け、安全性の高い保温剤を入れると保温器に、又少し盛り上がったフタを付け、足のこりをほぐすこともできる健康器具。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、長方形のゴムバンドである弾性体の内面２ヶ所に、イヤリング玉の上に、金属の傷み吸収材を乗せた、玉を取り付け、この２つ玉で、体各部のつぼに響かせ、こりをほぐす。玉の１つの方にはレールが付いていて、つぼを自由に探せる。レールすべり、ネジ止め、玉をフラつかせないという、１つで３つの機能を持つＨ管が付いている、こりをほぐす健康器具。
【背景技術】
【０００２】従来の体のこりをほぐす商品は、いろいろあるが、主に電気で、１方通行で、その時は、リラツスしたり、きいた様な気がするが、はずすと、しんが、なかなか抜けてない様に思われる。電気以外の商品も、水ぶくれになったり、無いよりましの観がする。手間と時間と、お金が高い。
【考案の開示】
【考案が解決しようとする課題】
【０００３】                ▲１▼高価（電気代、修理代、パツト代含む。）
今までの商品は  ▲２▼こりのしんが、思う程とれない、
▲３▼一方通行でききがわるい、
▲４▼手間、時間を費す、
▲５▼ほぐしている間、他の動作が、しにくい、
▲６▼ケアしながら、保温できない、
【課題を解決するための手段】
【０００４】本考案は、次にあげる特徴がある為、今までの商品の問題を、比較的クリア出来る。丸く、中玉位にし、ゴムバンドを付けると、ちょうど良い位にそそり上り、きく。
○比較的安く出来る
○ゴム、イヤリング材、時計の上ブタ等を使い安全性高い。
○腐らないし、場を取らないし、軽い。
○体にソフトで、よくきいて、活性化する。
○他の動作も出来、さっとはずせる。
○１方通行でない。
○保温しながらケアできるのもある。
【考案の効果】
【０００５】美容と健康に効果が期待出来る。
【考案の実施するための最良の形態】
【０００６】○玉は中玉位が、ちょうど良い。→響の輪が、大きすぎたり、小さすぎたりしない。
○玉は丸くすると良い。→響いて、そそり上り易い形態。
（又はキノコ型）
○イヤリング玉は、火付けと、おもりになる。
○ゴムバンドがないとそそり上りが悪い。
ゴムバンドに、イヤリング材の先の丸い所に、金属の傷み吸収材（時計上ブタ等）を乗せた、２層の丸い玉の組合せが最良であるのは研究ずみである。
【実施例】
【０００７】図１  腕バンド
【産業上の利用の可能性】
【０００８】
0003139625.tif 000036
▲１▼原価が安い。
▲２▼作り易い
▲３▼あぶなくない材料を使って、工夫してあるので、危険性少ない。
▲４▼客のニーズに合せて、いろいろある。
あれがダメでもこれがあるという様に、どれが当るかわからないが、比較的成功の可能性がある。
夜桜、宝石プリント、のりもちの模様で、ロマンチツク、金持気分を味わい、ユーモアと現実感を楽しませる。
香りを工夫し、取り入れてもよい。
▲５▼価格も比較的、安く出来、売れ易い。
▲６▼よくきき、こりのしんが取れる。
▲７▼顔に当て、美容玉に、鼻やのどに当てると風邪の対処療法に、わきの下にも応用できる、脳溢血、集中力によい、肌が活性化する、おしゃれ、保温器兼用のもある。
産業上、大いに有効と思われる。
【図面の簡単な説明】
【０００９】
【図１−１】腕バンドの、腕時計状バンドを、上から見た図。内側が左右、２層玉。
【図１−２】腕バンドを、腕に巻いた図。
【図２−１】足バンドの腕時計状バンドを上から見た図。内側が左右、２層玉。
【図２−２】足バンドを、足のふくらはぎに、巻いた図。
【図３−１】肩バンドを上からみた図。２層玉１つ、づつ。
【図３−２】レールのあるバンドの厚みの方から見た図。Ｈ管で、レールがすべりやすく、ネジしめわっかに利用出来る。又、玉がフラフラしない。ゴムバンドの中に、かくれている。
【図３−３】バンドひもを腕に輪状に掛け結び。肩バンドを両肩に同様にあて、首の後で結んだ図。
【図４−１】背バンド  背バンド（長方形状）を上から見た図。背中に対応した、ゴムの魂が付いている
【図５−１】ヘアーバンド  左右に内側向きの２層玉を付けてある。
【図６−１】イヤリング  小バンドが付いている。２層玉が、かざりの所に付いている。
【図７−１】花下駄  （中足箱）  下の足の土ふまずの所に入れるゴムの箱を上から見た所。
【図７−２】フタ開けた所。
【図７−３】平たいフタをした所。危なくない様上タツパー状に少し内側にへっこんでいる。細いゴムバンドが付いていて、すぐぬげる。主に保温。
【図７−４】盛り上ったフタをした所。車の運転、刃物持ってる時等はあまり上らないが、なるべくはかない。すぐぬげる。ケアと保温。
【符号の説明】
【００１０】１、イヤリングのネジ．
２、止め金具（はずれ防止）．
３、フイツトゴムバンド本体．
４、レール．
５、下が玉になっているキノコ型ネジ．
６、ひっかける為のはしご穴（バンド先をひっかける）．
７、バンド本体を入れる為のバンド（小）．
８、フイツト（バンド）ゴムひも．
９、長方形ゴムバンド（小）．
１０、背中用盛りゴム．
１１、ヘアバンド用ゴム．
１２、髪止めギザギザ．
１３、２層玉．
１４、ゴムバンド。花下駄の下部の固めのゴム箱の部分．
１５、内ブタ．
１６、フイツト（バンド）ゴムひもを通す為の、とっ手．
１７、空気穴．
１８、サツサ．
１９、空気穴に、ゴミ等入らない様にする為の小巻穴かくし．
２０、フイツトゴムひもを止める金具．
【手続補正３】
【補正対象書類名】手続補正書
【補正対象項目名】手続補正３
【補正方法】変更
【補正の内容】
【手続補正３】
【補正対象書類名】図面
【補正対象項目名】図３−１
【補正方法】変更
【補正の内容】
【図３−１】
0003139625.tif 000037